(57)【要約】【課題】  土嚢のように土壌の飛散、建造物等に対する加重負担、土嚢の腐敗破片による環境汚染、初期費用の高騰化、更には苗の生長の阻害や雑草が生えることのないようないわゆる多肉植物に特に有用な育成用の苗床を提供する。【解決手段】  土壌を収納した透水性、通気性および耐候性を有する不織布からなり、表面に苗植え用の穴３とその穴３の閉塞手段とを有した袋状の苗床とする。閉塞手段としては、苗の茎を取り巻き苗の成長に合わせて開口が広がるファスナー（滑り式留金具）５とするものであり、そのファスナー５を一つの苗床の中に複数本設けたものである。【選択図】図１
0003175488.tif 000002
【実用新案登録請求の範囲】
【請求項１】
土壌を収納した透水性、通気性および耐候性を有する不織布からなり、表面に苗植え用のファスナーを有したことを特徴とする苗床。
【請求項２】
前記ファスナーはそれぞれ一つのスライダーを有する複数のファスナーが整列されたことを特徴とする前記請求項１記載の苗床。
【請求項３】
前記ファスナーは列の中で互いに隣接するように配置されていることを特徴とする前記請求項２記載の苗床。
【請求項４】
前記ファスナーは列の中で互いに離れて配置されていることを特徴とする前記請求項２記載の苗床。
【考案の詳細な説明】
【技術分野】
【０００１】  本考案は苗が植えやすく管理がしやすい苗床に関する。
【背景技術】
【０００２】  従来より、屋上緑化や法面緑化の技術が多く提案され実用化されており、なかでも土壌量を少なくしても樹木などが倒れないで根を張るための方法などが提案されている。そこで土壌を抗菌処理できてしかも長期間土壌が散逸しない、透水性、通気性および耐候性を有する不織布で袋状の苗床を作り、苗の育成に応じて開口を容易にするために、複数のスライダーを有したファスナーを設けることを提案した（特許文献１）。
【先行技術文献】
【特許文献】
【０００３】
【特許文献１】  特開２０１１−１９４６６号公報
【考案の概要】
【考案が解決しようとする課題】
【０００４】  しかしながら複数のスライダーを持つファスナーは高価で苗床の製造が困難である。
【課題を解決するための手段】
【０００５】  本考案は、土壌を収納した透水性、通気性および耐候性を有する不織布からなり、表面に苗植え用のファスナーを有したもので、そのファスナーはそれぞれ一つのスライダーを有する複数のファスナーが１列または数列に整列されており、列の中で互いに隣接するように配置されるかまたは列の中で互いに離れて配置されているものである。
【考案の効果】
【０００６】  このようにファスナーを連接して設けることで苗が植えやすくまた防草効果が高い苗床が安価で製造することができる。
【図面の簡単な説明】
【０００７】
【図１】本考案実施例のファスナー連続時の苗床の斜視図
【図２】本考案実施例のファスナー非連続時の苗床の斜視図
【図３】本考案実施例の断面図
【考案を実施するための形態】
【０００８】  本考案においては、土壌を収納した透水性、通気性および耐候性を有する、ポリプロピレン、ガラス繊維などからなる不織布の袋状の苗袋に、表面に苗植え用の穴を設け、その穴にファスナー（滑り式留金具）の閉塞手段を設けたものである。
【実施例】
【０００９】  図１は本考案の第１の実施例の袋状の苗床の斜視図である。この図において、苗床１は、土壌２を収納した透水性、通気性および耐候性を有する不織布からなる袋状の苗床である。また上壌２としては、例えば黒土、鹿沼土、バーク、肥料その他の混合物であって、苗床内で苗６が根を張り育成させるのが目的なので、袋の外の土壌に根を張らせる従来の緑化事業のような肥料のみを入れるものではない。【００１０】  また、ファスナー５を一連化にすることにより、縫製作業を容易にする方が効率的であり、また緑化条件によって苗の間隔や本数が決まるので、１列１連であればそれに合わせた苗６の配置が選択できるという長所がある。【００１１】  袋状の苗床１の不織布は、例えばポリプロピレン多層スパンバンドからなるが、他にもアラミド繊維、ガラス繊維、セルロース繊維、ナイロン繊維、ビニロン繊維、ポリエステル繊維、ポリオレフィン繊維、レーヨン繊維などを用いることが出来る。これらの材質を用いるときの条件は、苗６の育成に必要な水分と、空気が生地を透過することのほか、耐候性が必要で、例えば日本国内の通常の天候管理下で１０年間腐敗しないことが望ましい。これは苗床１はあくまで地面や屋上と独立して苗６の育成を行うからである。腐敗しない１０年間というのはあくまでも目安で、上述したポリプロピレン不織布では１５年以上の実績を持つし、本考案では以下の説明でも理解されるように、苗６と苗床１をまとめて新規なものに交換できるので、もっと短期間となっても良いが、耐候性は必要である。また緑化施工する建造物が耐火性を維持することが要求される場合があるが、この場合には苗床１は、建造物の耐火性を損なわないようにする必要がある。この場合には、不織布の材料としてガラス繊維の含有量を高くし、例えば９０％以上がガラス繊維としてスパンバンド加工で不織布を形成するのがよい。【００１２】  図１の苗床１は例えば幅５０ｃｍ長さ５０ｃｍの不織布を重ねて、縫い目４のように周縁をミシンで二重に縫ったものである。また、幅５０ｃｍ長さ１ｍの不織布を半分に折り、折り目以外の周縁を縫ってもよい。袋状の苗床１は土壌２を入れてからミシン縫いして密閉袋状に形成しても良い。【００１３】  図３のように穴３に差し込む苗６としては、根の部分に発芽土がついたまま差し込むものなどでよいが、いわゆる多肉植物であれば必要な土壌量が他の樹木などに比較して少なくて済むので好ましい。その多肉植物とはサボテン科、アロエ科、ハマミズナ科、ベンケイソウ科などがあるが、緑化に適したものを選択すればよく、例えばベンケイソウ科で常緑のもの、品種登録されたもので具体的に例示すればトットリフジタ１号などが好ましい。【００１４】  袋状の苗床１に設けた穴３の閉塞手段としてファスナー（滑り式留金具）５とするものである。スライダーが一つのファスナーは一般的なものであり、現在では様々な場所で簡単に更には安価で手に入れることができ、縫製も簡単である。そのファスナー５は金属ファスナー、コイルファスナー（樹脂ファスナー）、プラスティックファスナーなどが利用できるが、耐候性や、中に充填されたものが土壌２であることを考慮すると樹脂製のファスナーが好ましく、金属ファスナーの場合は腐食し難い材質や表面処理を施すことが好ましい。【００１５】  ファスナー５は一つのスライダー５１しかついていないので、苗６の茎がファスナー５と上止５２との間に位置できるようにファスナーの位置を配慮したほうが良い。このようにファスナーを使うことで苗６の茎を締め付けることなく穴３を閉塞することが出来、茎の成長に応じてファスナー５の開口を広げることが出来るが、更にはそのファスナー５のスライダー５１の滑り具合によっては、茎の成長でスライダー５１が後退し、自動的に開口の大きさが変えられることにもなる。この場合使用するのは、スライダーの引手を持たなくても開閉するノンロックタイプの自由スライダーが好ましい。【００１６】  また、ファスナー５は通常は上止め５２と下止め５３が付いており、スライダー５１が外れないようにされているが、これは特に必要あるわけではなく、付いていなくてもよい。しかし、その場合にはファスナー５の両端をミシン等で縫い、止め部を作りスライダー５１がファスナー５から外れないようにする必要がある。【００１７】  図２は図１の実施例を簡単にしたもので、緑化条件によって苗の間隔や本数が決まるので、苗１本に対しファスナー５が１本あればそれに合わせた苗の配置が選択できるという長所がある。つまり、無駄なファスナー部分が必要なくなりちょっとしたコストも抑えられるということになる。【００１８】  上述したような袋状の苗床１は、苗床が屋根又は屋上に苗床袋の全面が密着固定しないように保持することで屋上緑化を達成できるので、建造物の屋上面を直接いためることもなく、無理な荷重を防ぐことも可能となる。そして屋上面を吹き直しなどするときには苗床の一次撤去も容易である。この場合には、屋上の周縁にある突出梁が丈夫（堅牢）であることを考慮してこれに吊具を設ける。吊具は、フック上の係合具を突出梁に固定し、この係合具にワイヤーを張って、そのワイヤーに袋状の苗床１を係止するなどして構成すればよい。【００１９】  また予め側壁に設けられた凹部に表面が側面開放部に向くように袋状の苗床１をはめ込み、係止で保持することでガードレールやトンネル、あるいは建物の側壁などの壁面緑化を行うことが出来る。凹部は上方に開口したレール状のものでも良い。レールに対しては係止部は縫い目から先の縫い代部分が相当する場合もある。これらの場合も壁面やガードレールの荷重負担を軽減し、植物の育成は阻害されることもなく、雑草のきわめて少ない均質な緑化が行うことができる。
【産業上の利用可能性】
【００２０】  本考案によれば、雑草の生えにくく、緑化の寿命の長い、しかも建造物の過重負担の少ない、屋上緑化や壁面緑化に有用な苗床を少しでも安価で提供できる。
【符号の説明】
【００２１】１  苗床
２  土壌
３  穴
４  縫い目
５  ファスナー
５１  スライダー
５２  上止め
５３  下止め
６  苗
【図１】
0003175488.tif 000003
【図２】
0003175488.tif 000004
【図３】
0003175488.tif 000005